(57)【要約】【課題】簡易な構造に留めた上でパネルの引き寄せ作業を効率良く行えるようにする。【解決手段】天井壁２０を構成する４枚のパネル１２の角部１２Ａが十字形の目地２７を形成するように突き合わせて配される箇所５０では、各パネル１２の角部１２Ａに、梁４０との間に渡されたスリーブ付きボルト４３が立てられる。レバー６１の先端部に、スリーブ付きボルト４３のスリーブ４６に係止する係止孔６５を設けた４枚の作動板６３が、放射状に配されてそれぞれ軸６４により回動可能に支持されてなる作業工具６０が備えられる。作業工具６０における各作動板６３の係止孔６５を、各パネル１２のスリーブ付きボルト４３に嵌めた状態でレバー６１を回動操作することにより、４枚のパネル１２の角部１２Ａが互いに密着するように引き寄せられる。【選択図】図８
2010112610.tif 000002
【特許請求の範囲】
【請求項１】
複数枚の断熱性のパネルが端面を接合させつつ縦横に並んで連結されることにより天井が形成されるものであって、
４枚のパネルの角部が十字形の目地を形成するように突き合わせて配される箇所では、各パネルの角部に被係止部が立設される一方、
レバーの先端部に、前記被係止部に係止可能な係止部を設けた４枚の作動板が、放射状に配されてそれぞれ回動可能に支持されてなる作業工具が備えられ、
この作業工具における各作動板の係止部を各パネルの被係止部に係止させた状態で前記レバーを回動操作することにより、４枚のパネルの角部を互いに密着するように引き寄せることを特徴とする組立式貯蔵庫の天井形成方法。
【請求項２】
前記４枚のパネルの角部が引き寄せられたのち、斜めに向き合った２枚のパネルの被係止部同士の間に保持部材を渡して連結することを特徴とする請求項１記載の組立式貯蔵庫の天井形成方法。
【請求項３】
前記天井は、複数枚の断熱性のパネルが端面を接合させつつ縦横に並んで連結されるとともに、パネルの連結縁に沿って配された梁にボルトを介して支持されるものにおいて、前記パネルの角部に立設された前記被係止部が、前記梁に遊動可能に挿通されて前記パネルに対して固着された前記ボルトであることを特徴とする請求項１または請求項２記載の組立式貯蔵庫の天井形成方法。
【請求項４】
複数枚の断熱性のパネルが端面を接合させつつ縦横に並んで連結されることにより形成される天井のうち、４枚のパネルの角部が十字形の目地を形成するように突き合わせて配される箇所において前記４枚のパネルの角部を引き寄せることに用いる作業工具であって、
レバーの先端部に、前記４枚のパネルの角部にそれぞれ立設された被係止部に係止可能な係止部を設けた４枚の作動板が、放射状に配されてそれぞれ回動可能に支持された構造になり、
各作動板の係止部を各パネルの被係止部に係止させた状態で前記レバーを回動操作することにより、４枚のパネルの角部を互いに密着するように引き寄せ可能としたことを特徴とする作業工具。
【請求項５】
前記作動板はほぼ長方形状をなし、その長さ方向の一端側の側縁に前記被係止部が嵌る係止孔が切り欠き形成されているとともに、他端側が前記レバーの先端部に回動可能に軸支されていることを特徴とする請求項４記載の作業工具。
【発明の詳細な説明】
【技術分野】
【０００１】
本発明は、組立式貯蔵庫の天井形成方法及び同天井形成に用いる作業工具に関する。
【背景技術】
【０００２】
プレハブ冷蔵庫は、断熱性のパネルを複数枚備えてこれらのパネルを設置先で所定に組み立てることにより構築される。その際、坪数（内容積）の大きいものになると、天井についても、多数枚のパネルが端面を接合させつつ縦横に並べて連結されることで形成される。例えば天井が、１２枚のパネルを縦３列、横４列に並べて形成されるような場合は、同様にパネルを繋いで形成した側壁に対して、１辺のみが載ったり、あるいは全辺が載らないパネルが出て来る。  
そのような場合は、プレハブ冷蔵庫を設置する建屋の天井から梁を吊り下げ、その梁を例えば、上記のようにパネルが配された天井のうち、４枚横に並んだパネル列同士が縦方向において繋がれる繋ぎ目に沿って当てられ、ボルト・ナット等の締結具で固定して天井を支えるといった手段が採られている。
【０００３】
ここで、上記のようにパネルを縦横に並べて連結する際、パネルの寸法精度や、連結のし具合によっては、隣り合うパネルの端面同士の間に隙間ができる可能性があり、梁に固定する前に隙間を詰める作業が必要となる。  
従来、この隙間を詰める方法の一例として、引用文献１に記載されたものが知られている。このものは、並べられたパネルのうち、４枚のパネルの角部が十字形の目地を形成するように突き合わせて配される箇所において、各パネルの角部にピンが立てられる一方、十字形の目地の上面に前後一対の対向板が配されて両対向板にわたってボルトが螺合されるとともに、両対向板の左右両端に揺動可能に支持された各引き寄せ部材の揺動端が、それぞれ各パネルのピンに係止された構造となっている。そして、ボルトを締め付けて両対向板を接近させると、各引き寄せ部材を介して、４枚のパネルの角部が中心に向けて同時に引き寄せられるようになっている。
【特許文献１】実開平４−６１２８９号公報
【発明の開示】
【発明が解決しようとする課題】
【０００４】
上記従来方法のものは、４枚のパネルの引き寄せ作業が同時にできて作業効率には優れるものの、パネルの引き寄せに機能する部分の構造が複雑で部品点数も多く、コスト高さらには天井の重量増を招く不具合があった。  
本発明は上記のような事情に基づいて完成されたものであって、その目的は、簡易な構造に留めた上でパネルの引き寄せ作業を効率良く行えるようにするところにある。
【課題を解決するための手段】
【０００５】
本発明の組立式貯蔵庫の天井形成方法は、複数枚の断熱性のパネルが端面を接合させつつ縦横に並んで連結されることにより天井が形成されるものであって、４枚のパネルの角部が十字形の目地を形成するように突き合わせて配される箇所では、各パネルの角部に被係止部が立設される一方、レバーの先端部に、前記被係止部に係止可能な係止部を設けた４枚の作動板が、放射状に配されてそれぞれ回動可能に支持されてなる作業工具が備えられ、この作業工具における各作動板の係止部を各パネルの被係止部に係止させた状態で前記レバーを回動操作することにより、４枚のパネルの角部を互いに密着するように引き寄せるところに特徴を有する。
【０００６】
また、本発明の作業工具は、複数枚の断熱性のパネルが端面を接合させつつ縦横に並んで連結されることにより形成される天井のうち、４枚のパネルの角部が十字形の目地を形成するように突き合わせて配される箇所において前記４枚のパネルの角部を引き寄せることに用いる作業工具であって、レバーの先端部に、前記４枚のパネルの角部にそれぞれ立設された被係止部に係止可能な係止部を設けた４枚の作動板が、放射状に配されてそれぞれ回動可能に支持された構造になり、各作動板の係止部を各パネルの被係止部に係止させた状態で前記レバーを回動操作することにより、４枚のパネルの角部を互いに密着するように引き寄せ可能としたところに特徴を有する。
【０００７】
上記構成によれば、作業工具に設けられた４枚の作動板の係止部を、対応する各パネルの被係止部に係止したのち、レバーを回動させると、４枚の作動板を介して各被係止部、ひいては４枚のパネルの角部が中心に向けて同時に引き寄せられる。引き寄せが終了したら、作業工具は外される。  
本発明では、パネルの引き寄せ作業を、使い回しの利く作業工具を利用して行うようにしたから、パネル側では被係止部を立てるだけの簡易な構造に留めることができ、安価に対応できる上に、パネル側すなわち天井の重量増も最小限に抑えることができる。
【０００８】
また、以下のような構成としてもよい。  
（１）前記４枚のパネルの角部が引き寄せられたのち、斜めに向き合った２枚のパネルの被係止部同士の間に保持部材を渡して連結する。４枚のパネルを引き寄せた状態により確実に保持することができる。
【０００９】
（２）前記天井は、複数枚の断熱性のパネルが端面を接合させつつ縦横に並んで連結されるとともに、パネルの連結縁に沿って配された梁にボルトを介して支持されるものにおいて、前記パネルの角部に立設された前記被係止部が、前記梁に遊動可能に挿通されて前記パネルに対して固着された前記ボルトである。パネルに設ける被係止部について、同パネルを梁で支持するために用いる既存のボルトを利用するようにしたから、部品点数のさらなる減少を図ることができる。
【００１０】
（３）前記作動板はほぼ長方形状をなし、その長さ方向の一端側の側縁に前記被係止部が嵌る係止孔が切り欠き形成されているとともに、他端側が前記レバーの先端部に回動可能に軸支されている。作動板を回動させつつ係止孔をパネルの被係止部に嵌めることで、作動板を対応する被係止部に対して簡単に係止することができる。
【発明の効果】
【００１１】
本発明によれば、簡易な構造に留めた上でパネルの引き寄せ作業を効率良く行うことができる。
【発明を実施するための最良の形態】
【００１２】
＜実施形態＞
本発明の一実施形態を図１ないし図１２によって説明する。  
図１は、本実施形態に係るプレハブ冷蔵庫１０を概略的に示しており、冷蔵庫の本体１１は、図２に示すように、複数枚の断熱性のパネル１２，１３を組み立てることで方形の箱形に形成され、図３に示すように、倉庫等の建屋Ｔの内部で組み立てられて設置されるようになっている。本体１１の前面には、断熱性の扉１５が開閉可能に装着されている。本体１１内の天井部分には冷却器１６（蒸発器）が配設されている一方、本体１１の外部には、圧縮機、凝縮器等からなる冷凍ユニット１７が設置され、冷却器１６と冷凍ユニット１７との間が冷媒配管１８により循環接続されて、周知の冷凍回路が構成されている。
【００１３】
本体１１の天井壁２０の構造を詳細に説明する。天井壁２０は、図２に示すように、平面長方形をなす１２枚の断熱性のパネル１２が、縦（奥行方向）３列、横（間口方向）４列に並んで連結されることで形成されている。一方、図３にも示すように、建屋Ｔの天井からは、２本の梁４０が個別のワイヤ４１によって吊り下げられ、各梁４０は、４枚のパネル１２が横方向に並んだ前後のパネル列３０の連結縁３１に沿って配され、後記するスリーブ付きボルト４３によって固定されるようになっている。
【００１４】
天井壁２０を構成するパネル１２は、図６に示すように、ステンレス鋼板等の金属板製の内装板２２と外装板２３とが間隔を開けて対向配置されるとともに、硬質塩化ビニル等の合成樹脂成形品からなる枠材２４が周縁部に装着されることで外殻体が形成され、この外殻体内に、発泡樹脂からなる断熱材２５が発泡充填されている。各パネル１２のうち、縦または横方向に連結される２枚のパネル１２における互いに密着される周面を構成する枠材２４には、互いに嵌合される凹凸形状をなす嵌合部２４Ａ，２４Ｂがそれぞれ形成されている。
【００１５】
天井壁２０の１２枚のパネル１２は、図４に示すように、４枚のパネル１２の角部１２Ａが十字形の目地２７を形成するように突き合わせて配される６箇所において、上記した梁４０に対してスリーブ付きボルト４３で固定されるようになっている。上記の６箇所を、以下ではパネル突き合わせ箇所５０という。スリーブ付きボルト４３は、図６に示すように、雄ねじ４５の切られた軸部４４の根元側に、スリーブ４６が嵌装された構造である。また、頭部４８の下端にはフランジ４９が形成されている。
【００１６】
各パネル突き合わせ箇所５０を構成する４枚のパネル１２の角部１２Ａには、図４ないし図６に示すように、ボルト固定部５０Ａが設定されている。各ボルト固定部５０Ａは、対応するパネル１２の角部１２Ａの角度（９０度）を二等分する線上において、角から一定寸法内部に入った位置に設定されている。  
各ボルト固定部５０Ａでは、外装板２３の裏面側にねじ板５１が溶接等で張られるとともに、外装板２３からねじ板５１に亘ってボルト孔５２が開口され、さらにねじ板５１の裏面におけるボルト孔５２と整合した位置に、上記したスリーブ付きボルト４３の軸部４４の雄ねじ４５が螺合されるナット５３が、溶接により固定されている。
【００１７】
一方、パネル１２を固定する梁４０は、図６に示すように、一対のリップ溝形鋼５５（Ｃ形鋼）を背中合わせにして、長さ方向に沿った数カ所においてボルト５６・ナット５７により固定された構造となっている。この梁４０は、ワイヤ４１の下端に取り付けられたＵボルト５８が、長さ方向の中央部における上面４０Ａの左右２箇所に固定されることにより、上記したように吊り下げ支持されている。
【００１８】
各梁４０の下面４０Ｂには、パネル１２側のボルト固定部５０Ａと対応した位置ごとの３箇所ずつに、ボルト挿通部５０Ｂが設定されている。各ボルト挿通部５０Ｂには、ボルト固定部５０Ａに設けられた４個のボルト孔５２とほぼ対応するようにして、４個ずつの挿通孔５９が開口されている。この挿通孔５９は、スリーブ付きボルト４３のスリーブ４６を径方向の移動自由にクリアランスを持って挿通可能であり、ただしスリーブ付きボルト４３のフランジ４９よりも小さい径を有している。
【００１９】
各パネル突き合わせ箇所５０では、４本ずつのスリーブ付きボルト４３が、梁４０の下面４０Ｂの挿通孔５９に通されたのち、軸部４４の先端の雄ねじ４５が対応するパネル１２の角部１２Ａのボルト孔５２を通ってナット５３に螺合されるようになっている。ここで、ボルト挿通部５０Ｂにおける挿通孔５９は、より具体的には、パネル突き合わせ箇所５０において、図５，６に参照して示すように、４枚のパネル１２の角部１２Ａが、目地２７がある程度の幅を持った状態で突き合わせされた場合にも、スリーブ付きボルト４３のスリーブ４６が同挿通孔５９を通ってナット５３に螺合可能であり、かつ、詳しくは後記するように、４枚のパネル１２の角部１２Ａが、目地２７の幅が無くなるように、すなわち互いに密着するように中心に向けて引き寄せられるまで、スリーブ付きボルト４３のスリーブ４６が同挿通孔５９内で径方向に相対移動することを許容し得るだけの径と配置を持って形成されている。
【００２０】
さて、上記したパネル突き合わせ箇所５０において、４枚のパネル１２の角部１２Ａを互いに密着するように引き寄せることに用いる作業工具６０が備えられている。  
作業工具６０は、図７に示すように、帯状の板材からなるレバー６１を有し、レバー６１の先端に、正方形をなす支持板６２が形成されている。この支持板６２の４つの角ごとには、作動板６３が回動可能に支持されている。各作動板６３は同一形状であって全体として長方形状をなし、その基端側が、支持板６２の各角において軸６４により回動可能に支持されている。各作動板６３の先端側における同図の時計回り方向の前方の側縁には、上記したスリーブ付きボルト４３のスリーブ４６を径方向から嵌合可能な係止孔６５が切り欠き形成されている。
【００２１】
また、４枚のパネル１２を引き寄せた状態に保持するべく保持部材７０が設けられている。この保持部材７０は、図１２に示すように、細長い板状に形成され、一方の側縁における両端部には、スリーブ付きボルト４３のスリーブ４６を径方向から緊密に嵌合可能な保持孔７１が切り欠き形成されている。両保持孔７１の間隔は、４枚のパネル１２の角部１２Ａが目地２７が無くなるまで引き寄せられた場合の、斜めに向き合った位置にあるスリーブ付きボルト４３の間隔に等しく設定されている。
【００２２】
続いて、本実施形態に係る天井壁２０の形成手順の一例を説明する。  
パネル１３を繋いで側壁３３を形成したのち、天井面に対して天井用の１２枚のパネル１２が、所定の配置にて縦３列、横４列に並んで繋がれる。このとき、各パネル１２のうち、側壁３３と対応する縁辺は同側壁３３の上に載せられる。それとともに、４枚のパネル１２の角部１２Ａが十字形の目地２７を形成するように突き合わせて配される６箇所のパネル突き合わせ箇所５０では、スリーブ付きボルト４３により梁４０に対して吊り下げ支持された状態となる。具体的には、図６に示すように、スリーブ付きボルト４３が、梁４０の下面４０Ｂの挿通孔５９に通されたのち、軸部４４の先端の雄ねじ４５が対応するパネル１２の角部１２Ａのボルト孔５２を通ってナット５３に螺合され、スリーブ４６が、フランジ４９とボルト孔５２の上側の口縁部との間に挟まれた状態に締め付けられる。これにより、４枚のパネル１２の角部１２Ａは、スリーブ付きボルト４３により梁４０に対して吊り下げ支持された状態となり、また、スリーブ付きボルト４３のスリーブ４６の上端が、挿通孔５９に遊嵌された状態にある。
【００２３】
このとき、４枚のパネル１２の角部１２Ａの突き合わせ部分に形成される十字形の目地２７について、ある程度の隙間ができていてもそのままに留めておく。ただし、目地２７の隙間が大き過ぎたり、十字形から大きくずれていると、４本のすべてのスリーブ付きボルト４３を、ナット５３に螺合できないことがあるため、そのときはパネル１２の位置をある程度修正して、目地２７の幅や形状が、４本すべてのスリーブ付きボルト４３が相手のナット５３に仮止めできるように簡易調整する。
【００２４】
このように、スリーブ付きボルト４３によるパネル１２の吊り下げ支持が完了したら、各パネル突き合わせ箇所５０において、作業工具６０を用いてパネル１２の引き寄せ作業が行われる。例えば、図５に示すように、所定以内の幅を持ったほぼ十字形をなす目地２７が形成されているパネル突き合わせ箇所５０においては、図８に示すように、作業工具６０のレバー６１の先端に支持された４枚の作動板６３の各係止孔６５が、対応するスリーブ付きボルト４３のスリーブ４６に嵌められる。同図に示すように、例えば目地２７がずれの無い十字形で、かつ縦横の隙間の幅が等しい場合には、各作動板６３は、９０度間隔を開けた放射状に拡がって、それぞれの先端の係止孔６５がスリーブ付きボルト４３に係止された状態となる。目地２７が十字形から若干ずれていたり、隙間の幅が縦横で異なっているような場合は、４枚の作動板６３が回動姿勢を変えつつそれぞれの先端の係止孔６５がスリーブ付きボルト４３に係止された状態となる。
【００２５】
作業工具６０のセットが完了したら、レバー６１の基端側を手で握り、図８の矢線Ａに示すように、同図の時計回り方向に回動操作する。レバー６１は、支持板６２の中心を回動中心として同方向に回動され、図９に示すように、各作動板６３の基端側を支持した軸６４が、同図の矢線Ｂに示すように、上記の回動中心を中心とした円周に沿うように時計回り方向に移動し、それに伴い、各作動板６３が、鎖線の矢線Ｃに示すように、軸６４を中心に反時計回り方向に揺動しつつ、各作動板６３の係止孔６５の外側の縁辺がスリーブ付きボルト４３を押し、それにより４枚のパネル１２の角部１２Ａが、十字形をなす目地２７の中心に向けて同時に引き寄せられる。  
最終的には、図１０に示すように、十字形の目地２７に隙間が無くなるまで引き寄せられ、そのとき、図１１に示すように、縦または横方向に連結される２枚のパネル１２における互いに対向した枠材２４では、嵌合部２４Ａ，２４Ｂを凹凸嵌合させつつ密着した状態とされる。
【００２６】
そののち、図１２に示すように、斜めに向き合った２枚のパネル１２のスリーブ付きボルト４３同士の間に保持部材７０が渡されて連結される。具体的には、保持部材７０の一端の保持孔７１が、一方のパネル１２のスリーブ付きボルト４３に緊密に嵌合されたのち、同保持部材７０の他端側をハンマ等の工具で叩いて、保持部材７０を上記一端側を中心に回動させつつ他端側の保持孔７１を、もう一方のパネル１２のスリーブ付きボルト４３に緊密に嵌める。もう一組の斜めに向き合った２枚のパネル１２のスリーブ付きボルト４３同士の間にも、同様にして保持部材７０が渡されて連結される。
【００２７】
このように、４枚のパネル１２が引き寄せられ、かつ保持部材７０により引き寄せ状態に保持されたら、作業工具６０は、図１０に示す状態から、各作動板６３が軸６４を中心に反時計回り方向に回動されて、先端の係止孔６５がスリーブ付きボルト４３から抜かれ、作動板６３が適宜に畳まれつつ外される。これにより、４枚のパネル１２の角部１２Ａが正規に突き合わされた状態で、梁４０に対して吊り下げ支持される。  
以上のような作業が、残りの５箇所のパネル突き合わせ箇所５０において順次に実行され、その結果、１２枚のパネル１２が、目地２７に隙間を設けることなく縦横に整列して並んだ状態の天井壁２０が構築されることになる。
【００２８】
以上のように本実施形態によれば、複数枚のパネル１２を縦横に並んで連結させることで天井壁２０を形成するに際し、隣り合うパネル１２の端面同士の間にできた隙間を詰める場合に、４枚のパネル１２の角部１２Ａを中心に向けて同時に引き寄せるようにしたから、例えば２枚ずつ詰める場合と比較すると、作業箇所が少なくなって効率が良い。特に、坪数すなわちパネル１２の枚数が多くなる程、作業箇所を少なくできる。  
そして引き寄せ作業は、使い回しの利く作業工具６０を利用して行うようにしており、また、同作業工具６０に係止して駆動される被係止部としては、パネル１２を梁４０に対して吊り下げするためのスリーブ付きボルト４３を利用していて、パネル１２側の構造も簡単に留められるから、安価に対応することができる上に、パネル１２側すなわち天井壁２０の重量増も最小限に抑えることができる。
【００２９】
また、４枚のパネル１２の角部１２Ａが引き寄せられた状態で、斜めに向き合った２枚のパネル１２のスリーブ付きボルト４３の間に保持部材７０を渡して連結するようにしたから、４枚のパネル１２の拡がり止めをより確実に図ることができる。  
しかも、保持部材７０の装着は、一端の保持孔７１を、一方のパネル１２のスリーブ付きボルト４３に緊密に嵌合したのち、他端側をハンマ等の工具で叩いて、同他端側の保持孔７１を、もう一方のパネル１２のスリーブ付きボルト４３に緊密に嵌めるだけでよいから、作業性が良い。また、保持部材７０は、単純な形状の板金物であるから、コスト増並びに天井壁２０の重量増も小さく留めることができる。
【００３０】
＜他の実施形態＞
本発明は上記記述及び図面によって説明した実施形態に限定されるものではなく、例えば次のような実施形態も本発明の技術的範囲に含まれる。  
（１）上記実施形態では、４枚のパネルの角部を引き寄せた状態により確実に保持するために保持部材を備えた場合を例示したが、保持部材は必ずしも備える必要はない。  
（２）上記実施形態では、パネルを梁で吊り下げ支持するのにスリーブ付きボルトを用い、これを作業工具に係止することに兼用するようにしたが、スリーブ付きボルトに替えて、段付き状の軸部を備えて先端側の小径部のみに雄ねじが切られた段付きボルトを用いてもよい。
【００３１】
（３）作業工具に係止する被係止部は、パネルを梁で支持するためのボルトとは別に設けてもよい。  
（４）作業工具の作動板に形成する係止部としては、相手の被係止部の形状等によっては、切り欠き形成した係止孔に限らず、被係止部を軸方向に通す孔形状等の他の形状であってもよい。
【００３２】
（５）上記実施形態では天井壁を梁で支える場合を例示したが、梁で支えない形式のものにも、本発明は適用可能である。  
（６）上記実施形態に示した天井壁を構成するパネルの枚数や配置はあくまでも一例であって、４枚のパネルの角部が十字形の目地を形成するように突き合わせて配される箇所を有する限り、パネルの枚数や配置は任意である。
【図面の簡単な説明】
【００３３】
【図１】本発明の一実施形態に係るプレハブ冷蔵庫の一部切欠概略斜視図
【図２】冷蔵庫本体の斜視図
【図３】プレハブ冷蔵庫の設置状態を示す背面図
【図４】冷蔵庫本体の天井壁の平面図
【図５】パネル突き合わせ箇所の平面図
【図６】パネルの引き寄せ作業前の断面図
【図７】作業工具の平面図
【図８】作業工具をセットした状態の平面図
【図９】作業工具の操作途中の平面図
【図１０】作業工具の操作完了時の平面図
【図１１】パネルの引き寄せ作業完了時の断面図
【図１２】保持部材の装着動作を示す平面図
【符号の説明】
【００３４】
１０…プレハブ冷蔵庫  １１…本体  １２…パネル  １２Ａ…（パネル１２の）角部  ２０…天井壁  ２７…目地  ３１…連結縁  ４０…梁  ４３…スリーブ付きボルト（被係止部）  ４６…スリーブ  ５０…パネル突き合わせ箇所  ５２…ボルト孔  ５３…ナット  ６０…作業工具  ６１…レバー  ６２…支持板  ６３…作動板  ６４…軸  ６５…係止孔（係止部）  ７０…保持部材  ７１…保持孔
【図１】
2010112610.tif 000003
【図２】
2010112610.tif 000004
【図３】
2010112610.tif 000005
【図４】
2010112610.tif 000006
【図５】
2010112610.tif 000007
【図６】
2010112610.tif 000008
【図７】
2010112610.tif 000009
【図８】
2010112610.tif 000010
【図９】
2010112610.tif 000011
【図１０】
2010112610.tif 000012
【図１１】
2010112610.tif 000013
【図１２】
2010112610.tif 000014